(57)【要約】【課題】  化粧料塗布効果が優れると共に、肌への感触も優れる使い心地の良い化粧ブラシ用ブリッスルおよび化粧ブラシを提供する。【解決手段】  合成樹脂製モノフィラメントからなり、少なくとも一端に尖鋭なテーパー部を形成したブリッスルであって、断面形状が異形断面であると共に、繊維軸方向に波形状を有することを特徴とする化粧ブラシ用ブリッスル。【選択図】  なし【特許請求の範囲】
【請求項１】
合成樹脂製モノフィラメントからなり、少なくとも一端に尖鋭なテーパー部を形成したブリッスルであって、断面形状が異形断面であると共に、繊維軸方向に波形状を有することを特徴とする化粧ブラシ用ブリッスル。
【請求項２】
前記合成樹脂製モノフィラメントの主成分がポリプロピレンテレフタレートであることを特徴とする請求項１記載の化粧ブラシ用ブリッスル。
【請求項３】
前記波形状が外接円直径の２５倍以上２５０倍以下の波長と、外接円直径の８０倍以下の波高から形成されていることを特徴とする請求項１または２記載の化粧ブラシ用ブリッスル。
【請求項４】
請求項１〜３のいずれか１項に記載の化粧ブラシ用ブリッスルを植毛してなることを特徴とする化粧ブラシ。
【発明の詳細な説明】
【技術分野】
【０００１】
本発明は、化粧料塗布効果が優れると共に、肌への感触も優れる化粧ブラシ用ブリッスルおよびこの化粧ブラシ用ブリッスルを使用した化粧ブラシに関する。
【背景技術】
【０００２】
従来、化粧ブラシの毛材としては、獣毛が多用されてきたが、近年獣毛の調達が困難となるに伴い、これに代わって合成樹脂製ブリッスルが多用されつつある。
【０００３】
この合成樹脂製ブリッスルは、丸断面の直線状モノフィラメントの先端をテーパー状としたものが一般的であるが、これは獣毛に比べて表面が平滑であるために、化粧液や化粧粉が付着しにくく、化粧ブラシとして使用した場合に液や粉の保持性が劣るという問題があった。
【０００４】
この問題を改善するための技術としては、ブリッスルの横断面に凹凸部を複数形成したフィラメント（例えば、特許文献１参照）や、波形の捲縮を加えたもの（例えば、特許文献２参照）が提案されている。
【０００５】
しかしながら、これらの手段によっても液粉の保持性はいまだに十分ではなく、またその凹凸部や捲縮を大きくし過ぎると液粉がブラシから離脱しにくくなるばかりか、肌触りも柔らかな感触に欠け、毛さばき性の面においても獣毛には及ばないという問題が残されていた。
【特許文献１】特許第１５４５６４２号公報（第１頁）
【特許文献２】特開平１１−２３５２３０号公報（第１頁）
【発明の開示】
【発明が解決しようとする課題】
【０００６】
本発明の目的は、従来の合成樹脂製ブリッスルの欠点である液粉の保持性を向上させると共にその離脱性も備え、かつ肌への感触も獣毛に匹敵して優れた化粧ブラシ用ブリッスルおよび化粧ブラシを提供することにある。
【課題を解決するための手段】
【０００７】
本発明者らは、上記の課題を達成するために鋭意検討した結果、少なくとも一端に尖鋭なテーパー部を形成したブリッスルを、異形断面の合成樹脂製モノフィラメントから形成すると共に、繊維軸方向に波形状を付与することにより、上記目的が効果的に達成できることを見出し、本発明に到達した。
【０００８】
すなわち、本発明の化粧ブラシ用ブリッスルは、合成樹脂製モノフィラメントからなり、少なくとも一端に尖鋭なテーパー部を形成したブリッスルであって、断面形状が異形断面であると共に、繊維軸方向に波形状を有することを特徴とする。
【０００９】
なお、本化粧ブラシ用ブリッスルにおいては、
前記合成樹脂製モノフィラメントの主成分がポリプロピレンテレフタレートであること、および
前記波形状が外接円直径の２５倍以上２５０倍以下の波長と、外接円直径の８０倍以下の波高から形成されていること
が、いずれも好ましい条件であり、これらを適用した場合にはさらに好適な性能を発揮する。
【００１０】
また、本発明の化粧ブラシは、上記の化粧ブラシ用ブリッスルを植毛してなることを特徴とする。
【発明の効果】
【００１１】
本発明によれば、化粧料の塗布効果が優れると共に、肌への感触も優れる使い心地の良い化粧ブラシ用ブリッスルおよび化粧ブラシが得られる。
【発明を実施するための最良の形態】
【００１２】
以下に、本発明について詳細に説明する。
【００１３】
本発明の化粧ブラシ用ブリッスルには、公知の溶融紡糸方法によって製造された合成樹脂製異形断面モノフィラメントが使用される。その素材については特に限定しないが、テーパー部を公知のアルカリ溶解法によって形成する場合は、ポリエステル系樹脂、具体的にはポリプロピレンテレフタレート（以下、ＰＰＴと略称する）、ポリブチレンテレフタレート（以下、ＰＢＴと略称する）、ポリエチレンテレフタレート、あるいはこれらを主体とする共重合体やブレンド物が適しており、なかでも特にＰＰＴを用いた場合には、その柔軟性により肌触り良好なブリッスルを得ることができる。
【００１４】
また、合成樹脂製モノフィラメントの異形断面形状は、使用される化粧液粉の性状によって、多葉形、多角形などの中から適切な形状のものを選定する必要があるが、その外接円直径を０．０３ｍｍ以上０．２０ｍｍ以下とすることにより、化粧ブラシに適した毛腰を得ることができる。
【００１５】
なお、この合成樹脂製異形断面モノフィラメントには、本発明の目的を阻害しない範囲であれば、耐熱剤、耐候剤、着色剤および可塑剤などの添加剤を任意に含有させることができる。
【００１６】
また、本発明の化粧ブラシ用ブリッスルは、繊維軸方向に波形状を有することを必須の要件とするが、この波形状は、上記異形断面モノフィラメントに波状加工を加えることによって形成される。この波形状の形成も公知の方法により可能であり、例えば所定形状の歯形の一対のギアの間にモノフィラメントを通過させるなどの方法を使用することができる。
【００１７】
ここで、この波形状の波長を外接円直径の２５倍以上２５０倍以下、かつ波高を外接円直径の８０倍以下にすることにより、特に液粉の保持性、離脱性および肌触りの優れたブリッスルを得ることが可能である。波形状の波長および波高が前記の範囲を越える場合は、液粉の保持性が不足し、波長が前記の範囲未満の場合は、保持性は優れるものの、離脱性が悪くなる場合がある。
【００１８】
この波状加工した異形断面合成樹脂製モノフィラメントからなるブリッスルへのテーパー部の形成も、公知のテーパー加工方法が適用可能であり、例えば化学処理によって行う場合は、モノフィラメントを直線状に束ねてテープ等で周囲を保護し、これを必要な長さにカットした後、このブリッスル束の少なくとも一端をアルカリ液に浸漬させることにより、テーパー部を形成することができる。
【００１９】
また、上記の化粧ブラシ用ブリッスルを用いた化粧ブラシは、従来の植毛方法に準じて基台に植毛することとにより、作製が可能である。
【実施例】
【００２０】
以下に、本発明を実施例に基づいて説明する。実施例における化粧ブラシの性能評価は次の方法により行なった。
【００２１】
［化粧料塗布性能］
成人女性１５名に対して、下記の方法で作成したフェースブラシで粉体化粧料（資生堂：アネッサＵＶカット）を塗布してもらい、その塗布性能について回答を得た。判定基準は以下の通りにした。
判定：二重丸・・獣毛に匹敵する優れた性能を発揮する
○・・獣毛には劣るが実用上問題なし
×・・化粧料の保持性あるいは離脱性に問題がある。
【００２２】
［肌への触感］
上記の実験と同時に肌への触感についても回答を得た。判定基準は以下の通りとした。判定：１・・柔軟であり獣毛に匹敵する優れた触感
２・・獣毛には劣るが良好な触感
３・・特に良い触感ではないが実用上問題なし
４・・肌への刺激や柔軟性不足が感じられ、やや悪い触感
５・・肌への刺激や柔軟性不足が顕著であり、悪い触感。
【００２３】
［実施例１］
ＰＰＴペレット（Ｓｈｅｌｌ  Ｃｈｅｍｉｃａｌｓ製”ＣＯＲＴＥＲＲＡ  ＣＰ５１３０００”）を押出し機に投入し、２７０℃に加熱溶融させた樹脂を糸断面形状に対応する八葉形状のノズルから押し出し、直ちに水中で冷却、続いて８０℃の温水中、さらに９０℃の温水中で合計４．７倍に延伸することによって、外接円直径０．０７ｍｍの八葉断面モノフィラメントを得た。
【００２４】
次に、この八葉断面モノフィラメントを１８０℃に加温しながら、１対のギヤの間に連続的に通過させることによって、軸方向に波形状を付与した。なお、使用するギヤの歯形やピッチおよび挟み圧は、最終製品での波長が外接円直径の２００倍、波高が外接円直径の５０倍となる様に選定した。
【００２５】
次いで、この波形状を付与したモノフィラメント束ねた上で紙テープを巻き、直径４５ｍｍの束状とし、これを約５５ｍｍの長さにカットした後、このブリッスル束の片端を水酸化ナトリウム水溶液中に浸漬しすることにより、片端にテーパー部を形成したブリッスルとし、さらにこれを、ハンドルに植毛することにより、フェースブラシを作成した。
【００２６】
［実施例２］
実施例１において、原料をＰＢＴ（東レ製”トレコン”１２００Ｓ）とした以外は、同様の方法でフェースブラシを作成した。
【００２７】
［比較例１］
実施例１において、モノフィラメントの断面形状を丸断面とした以外は、同様の方法でフェースブラシを作成した。
【００２８】
［比較例２］
実施例１において、波状加工を行なわずに直線状とした以外は、同様の方法でフェースブラシを作成した。
【００２９】
［比較例３］
実施例１において、モノフィラメントの断面形状を丸断面とし、かつ波状加工を行なわずに直線状とした以外は、同様の方法でフェースブラシを作成した。
【００３０】
［比較例４］
実施例１において、端部のテーパー化工を省略した以外は、同様の方法でフェースブラシを作成した。
【００３１】
上記の各フェースブラシについて評価した結果を表１に示す。
【００３２】
【表１】
2005095457.tif 000002
表１の結果から明らかなように、実施例１および２のフェースブラシは、化粧料を過不足なく保持するとともに、塗布した際にその殆どがブラシから離脱し、獣毛と同等の優れた塗布性能を示した。特に素材をＰＰＴとした実施例１のフェースブラシは、毛腰が柔軟であり肌への触感も獣毛に匹敵すると評価された。
【００３３】
これに対し、ブリッスルの断面を丸形状とした比較例１のフェースブラシは、肌への触感はやや良好であったが、化粧料の保持性が劣り、またブリッスルを直線状とした比較例２および３のフェースブラシは、化粧料の保持性・離脱性が実施例１よりも劣るものとなった。さらに、端部にテーパー部を有さない比較例４のフェースブラシは、化粧料の保持性が劣り、肌への触感も実施例１より劣るものとなった。
【産業上の利用可能性】
【００３４】
以上説明したように、本発明の化粧ブラシ用ブリッスルおよび化粧ブラシによれば、化粧料の塗布効果が優れると共に、肌への感触も優れ使い心地が良いという効果が得られることから、特に化粧品を好む女性にとって寄与するところが大きい。